(57)【特許請求の範囲】
【請求項１】
梁等の建造物躯体に固着された通しアングルに自重受け金具を取り付けて成る壁パネル設置構造であって、
前記自重受け金具の上部には、偏心軸を回転中心として該回転中心から高さ調整自在に形成されて成る高さ調整多角形状プレートが取り付けられ、
該高さ調整多角形状プレートの下辺に前記通しアングルの上縁部又は上面部を当接させて該通しアングルに前記自重受け金具を取り付けるように構成したことを特徴とする壁パネル設置構造。
【請求項２】
上記高さ調整多角形状プレートの回転中心から該高さ調整多角形状プレートの外辺までの距離は、該高さ調整多角形状プレートの回転方向に行くにつれて漸次連続的に変化するように設定されていることを特徴とする請求項１記載の壁パネル設置構造。
【発明の詳細な説明】
【技術分野】
【０００１】
本発明は壁パネル設置構造に関するものであり、特に、通しアングルに自重受け金具を取り付け、取り付けのための溶接を不要（溶接長の短縮を含む）にすることができる高さ調整が容易な壁パネル設置構造に関するものである。
【背景技術】
【０００２】
従来、此種壁パネル設置構造においては、梁等の建造物躯体に通しアングルを固着し、該通しアングルに自重受け金具を取り付けると共に、該自重受け金具に壁パネルを載置支持し、該壁パネルの下端近傍部をボルトにて締付けて自重受け金具に設置固定している（特許文献１参照）。
【特許文献１】特開平１０−２８０５９６号公報
【発明の開示】
【発明が解決しようとする課題】
【０００３】
ところで、従来の上記壁パネル設置構造によれば、壁パネルの高さを調整するとき、通しアングルに対する自重受け金具の高さ位置を変更して調整しているが、この場合、作業者は勘と経験に依存して自重受け金具の高さ位置を試行錯誤的に行っている。また、壁パネルの自重は溶接にて受け止めて支持されているために、該壁パネルの自重に応じて前記溶接長さを長くする必要があった。
【０００４】
このため、自重受け金具の通しアングルに対する高さ位置調整作業が非常に面倒になり、作業時間が長くなるとともに、壁パネルを適正な高さに迅速に設置することが難しく、壁パネル設置時における施工効率が著しく低下するという問題があった。
【０００５】
そこで、壁パネルの重さを溶接ではなく金物で受けることにより溶接を不要にでき、且つ、高さ調整を容易迅速に行える壁パネル設置構造を提供するために解決すべき技術的課題が生じてくるのであり、本発明は該課題を解決することを目的とする。
【課題を解決するための手段】
【０００６】
本発明は、上記目的を達成するために提案されたものであり、請求項１記載の発明は、梁等の建造物躯体に固着された通しアングルに自重受け金具を取り付けて成る壁パネル設置構造であって、
前記自重受け金具の上部には、偏心軸を回転中心として該回転中心から高さ調整自在に形成されて成る高さ調整多角形状プレートが取り付けられ、
該高さ調整多角形状プレートの下辺に前記通しアングルの上縁部又は上面部を当接させて該通しアングルに前記自重受け金具を取り付けるように構成したことを特徴とする壁パネル設置構造を提供する。
【０００７】
この構成によれば、自重受け金具の上部に、偏心軸を回転中心として該回転中心から高さ調整自在に形成されて成る高さ調整プレートを取り付け、該高さ調整プレートの下辺に通しアングルの上縁部又は上面部を当接させて、該通しアングルに前記自重受け金具を取り付ける。
【０００８】
従って、前記通しアングルに自重受け金具を取り付ける際、前記高さ調整プレートの回転位置を変更することにより、該通しアングルに対する自重受け金具の取付け高さが適宜調整される。
【０００９】
請求項２記載の発明は、上記高さ調整多角形状プレートの回転中心から該高さ調整多角形状プレートの外辺までの距離は、該高さ調整多角形状プレートの回転方向に行くにつれて漸次連続的に変化するように設定されていることを特徴とする請求項１記載の壁パネル設置構造を提供する。
【００１０】
この構成によれば、前記自重受け金具の高さ調整を行う際、高さ調整プレートを回転させることにより、通しアングル上縁が当接する高さ調整プレートの下辺の高さが連続的（定量的）に変化する。
【００１１】
よって、高さ調整プレートの回転角度に応じて自重受け金具の高さ位置が連続的に調整される。
【発明の効果】
【００１２】
請求項１記載の発明は、前記通しアングルに自重受け金具を取り付ける際、前記高さ調整多角形状プレートの回転位置を変更することにより、該通しアングルに対する自重受け金具の取り付け高さを適宜調整できるので、該自重受け金具に載置支持された壁パネルを適正な高さオ位置に容易に設置することができる。
【００１３】
さらに、壁パネルの重さを溶接ではなく金物で受けるので、従来必要であった溶接を廃止、或いは、溶接長を少なくすることができる。
【００１４】
又、前記自重受け金具の高さ調整作業は、高さ調整多角形状プレートの回転位置を変更させるだけでよいので、自重受け金具の高さ適宜を迅速に行うことができ、作業効率が著しくアップする。
【００１５】
請求項２記載の発明は、前記自重受け金具の高さ調整作業をする際、高さ調整多角形状プレートの回転角度に応じて自重受け金具の取り付け高さを連続的に調整できるので、請求項１記載の発明の効果に加えて、自重受け金具の取り付け高さ調整をより正確かつ迅速に実行でき、且つ、該自重受け金具の取り付け高さ調整の安全確実性と信頼性を向上させることができる。
【発明を実施するための最良の形態】
【００１６】
本発明は、壁パネルの重さを溶接ではなく金物で受けることにより溶接を不要にでき、且つ、通しアングル対する自重受け金具の高さ調整を容易にし、熟練作業者でなくとも壁パネルを適正高さに確実に効率良く行えるようにするという目的を達成するため、梁等の建造物躯体に固着された通しアングルに自重受け金具を取り付けて成る壁パネル設置構造であって、前記自重受け金具の上部には、偏心軸を回転中心として該回転中心から高さ調整自在に形成されて成る高さ調整プレートが取り付けられ、該高さ調整プレートの下辺に通しアングルの上縁部又は上面部を当接させて該通しアングルに前記自重受け金具を取り付けるように構成したことにより実現した。
【実施例】
【００１７】
以下、本発明の好適な一実施例を図１乃至図７に従って説明する。なお、本の実施例に係る高さ調節多角形状プレートの使用形態は、多角形状であれば、適宜の使用形態にて実施しても良い。
【００１８】
図１に於いて、１は下層の壁パネル、２は壁パネル１の上側に配設された上層の壁パネルである。これら壁パネル１,２は、主として押出成形セメント板によって形成され、且つ、壁パネル１,２には中空部３が形成されている。又、壁パネル１,２としてはALC等の乾式外壁材を用いることもできる。
【００１９】
図１における壁パネル２の室内側（図１における右側）には、梁等の建物躯体４が水平に設けられ、該建造物躯体４はL形鋼またはH形鋼により形成されている。又、建造物躯体４には側面L形の通しアングル７が固着され、該通しアングル７は鉛直フランジ５と水平フランジ６から成る。この通しアングル７は、建造物躯体４の上面側縁部に沿って直接溶接にて固定されているが、ピースアングル（図示せず）を介して一体に固着することもできる。
【００２０】
通しアングル７の長手方向中央部には、壁パネル２を垂直に支持するための自重受け金具８が固定されている。該自重受け金具８は、壁パネル２の室内側表面に当接する鉛直部９と、該鉛直部９の下端外側に直角に連設された水平部１０とから成る。なお、図１の構成例では、壁パネル２の下端は敷きプレート１３を介して、該自重受け金具８の水平部１０上面に載置固定されているが、該敷きプレート１３は省略することもできる。
【００２１】
図２に示すように、自重受け金具８の鉛直部９の左右両側には、縦断面Z形（稲妻形）に形成された垂下片１１,１１が設けられている。該垂下片１１,１１の下側部分と前記鉛直部９との間には、所定の隙間を有する空間部が形成され、該空間部には通しアングル７の鉛直フランジ５が嵌合固定されている。
【００２２】
下層のパネル１と上層の壁パネル２間における室外側にはシーリング材又はガスケット１４が介装されている。なお、自重受け金具８の鉛直部９と壁パネル２の間には、所要の水密性を確保するために内水切りシート１５が設けられている。また、下層の壁パネル１と上層の壁パネル２との間の空間部には、所要の断熱性などを確保するための断熱材などを設けることもできる。
【００２３】
本実施例に係る自重受け金具８には、通しアングル７に対して取付け高さを調整できるように高さ調整手段が付設されている。図３に示すように、自重受け金具８の鉛直部９上部には孔１７が開穿され、該孔１７にはボルト１８が挿通されている。該ボルト１８の雄ねじ部にはナット１９が螺合している。なお、ボルト１８はワッシャー等（図示せず）を介して締め付けることができる。
【００２４】
又、ボルト１８の軸部には高さ調整プレート２０が回転可能に取り付けられ、高さ調整プレート２０の正面形状は、アンモナイト形に類似した多角形に形成されている。図示例では、高さ調整プレート２０は、１１個の外辺A１〜A１１を有する１１角形に形成されているが、外辺の数は特に限定されず、１０個以下（図６中の符号２０参照）または１２個以上でもよい。
【００２５】
高さ調整プレート２０の回転中心はボルト軸芯Cであって、該ボルト軸芯Cから高さ調整プレート２０の各外辺A１〜A１１までの距離Lは互いに異なっている。すなわち、前記距離Lは図２において、高さ調整プレート２０の回転方向にいくにつれて、漸次連続的に変化するように設定されている。
【００２６】
従って、高さ調整プレート２０を回転させることにより、上記外辺A１〜A１１のいずれかが高さ調整プレート２０の下側にて水平になるように変更されるので、該高さ調整プレート２０の最下辺と自重受け金具８の下端面との間の距離が設定調整される。
【００２７】
図２および図３は、高さ調整プレート２０を予め設定した基準の回転位置に設定したときの状態を示す。この基準状態では、高さ調整プレート２０の第５外辺A５は高さ調整プレート２０の最下辺を形成している。
【００２８】
この場合、高さ調整プレート２０の第５外辺A５に通しアングル７の鉛直フランジ５上縁が当接し、この状態で高さ調整プレート２０が通しアングル７に取り付けられる。その結果、自重受け金具８の水平部１０下面は、通しアングル７の水平フランジ６下面に対して距離H（例えば２０ｍｍ）だけ高い位置に設定される。
【００２９】
いま、前記図３の基準状態から、高さ調整プレート２０を左方向に約１２０度だけ回転変位させると、図４に示すように、第１外辺A1が高さ調整プレート２０の下側にて水平になるように移動する。この場合、図５に示すように、第１外辺A1に通しアングル７の上縁が当接した状態で、通しアングル７に高さ調整プレート２０が取り付けられる。
【００３０】
その結果、自重受け金具８の水平部１０下面は、通しアングル７の水平フランジ６下面に対して前記距離Hに比べて例えば５ｍｍだけ高い位置に変更される。よって、自重受け金具８の通しアングル７に対する取付け高さは、図３の基準状態に比べて、５ｍｍだけ上方に移動する。
【００３１】
また、前記図３の基準状態から、高さ調整プレート２０を右方向に約１５０度だけ回転変位させると、図６に示すように、第１１外辺A１1が高さ調整プレート２０の下側にて水平になるように移動する。この場合は、図６に示すように、第１１外辺A１1に通しアングル７の上縁が当接した状態で、通しアングル７に高さ調整プレート２０が取り付けられる。
【００３２】
その結果、自重受け金具８の水平部１０下面は、通しアングル７の水平フランジ６下面に対して前記距離Hよりも例えば５ｍｍだけ低い位置に変更される。よって、自重受け金具８の通しアングル７に対する取付け高さは、図３の基準状態に比べて、５ｍｍだけ下方に移動する。
【００３３】
以上説明したように本実施例によれば、壁パネル２を自重受け金具８で支持して設置する際、自重受け金具８に設けた高さ調整プレート２０の回転位置を変更することにより、通しアングル７に対する自重受け金具８の取付け高さを調整できる。従って、自重受け金具８の取付け高さを適宜調整することで、壁パネル２の設置高さを適正レベルに設定変更でき、もって壁パネル２の施工品質を著しく向上させることができる。
【００３４】
この場合、前記自重受け金具８の高さ調整作業は、高さ調整プレート２０の回転位置を変更させるだけで済むので、未熟練者であっても自重受け金具８の高さ調整を容易かつ迅速に実行することができる。
【００３５】
さらに、壁パネル２の重さを溶接ではなく金物で受けるので、従来必要であった溶接（図１中に於ける符号Ｗ参照）を廃止、或いは、溶接長を少なくすることができる。
【００３６】
更に又、本実施例に係る高さ調整プレート２０をアンモナイト形に類似した異径形状に形成したことにより、高さ調整プレー２０の回転中心から各外辺までの距離は、該高さ調整プレート２０の回転方向に行くに伴い漸次連続的に変化している。従って、自重受け金具８の高さ調整を行う際、高さ調整プレート２０を回転させることにより、高さ調整プレート２０の下辺の高さが連続的に変化する。
【００３７】
よって、高さ調整プレート２０の回転角度に応じて、自重受け金具８の高さ位置が段階的もしくは定量的に調整されるので、自重受け金具８の取付け高さ調整をより正確かつ迅速に実行できる。        
【００３８】
次に、本発明の他の実施例を図８乃至図１０に基づいて説明する。尚、上記実施例と同様の部材にはそれと同一の符号を付してその詳細な説明を省略する。
【００３９】
本実施例では、自重受け金具８の鉛直部９と垂下片１１の形状が、上記実施例に示した形状と互いに逆になるように形成されている。即ち。垂下片１１は鉛直方向に垂下する平坦面に形成され、且つ、鉛直部９の上端部にＬ字状の折曲部９Ａを有すると共に該鉛直部９の上下方向中間部に傾斜部９Ｂが設けられている。
【００４０】
又、自重受け金具８の鉛直部９に設けたボルト挿通用の孔Ｓは、上下方向に延びる長円形に形成され、該孔Ｓにより、高さ調整プレート２０の自重受け金具８に対する相対的な高さ調整が可能になるよう構成されている。依って、鉛直部９の前記折曲部９Ａ下面に前記高さ調整プレート２０の上辺縁が当接することにより、ボルト１８に対する自重受け金具８の水平部１０の高さ位置が適宜調整される。
【００４１】
上記のように構成しても、高さ調整プレート２０の回転位置に応じて、自重受け金具８の高さ位置を任意に変更できる。従って、壁パネル２の重さが溶接ではなく、金物で受けられることにより、従来必要であった溶接を不要にでき、且つ、通しアングル７に対する自重受け金具８及び壁パネル２の高さを適正位置に正確迅速に設定できる。
【００４２】
次に、本発明の更に他の実施例を図１１乃至図１４に基づいて説明する。本実施例では、鉛直部９の上端部にＬ字状の折曲部９Ａが形成されているが、該鉛直部９の上下方向中間部には傾斜部は設けられていない。又、鉛直部９に設けたボルト挿通用の孔９Ｃは、上下方向に延びる長円に形成されている。更に、通しアングル７にも、ボルト１８を挿通させるための円形の孔７Ａが開穿されている。
【００４３】
上記のように構成しても、高さ調整プレート２０の回転位置に応じて、自重受け金具８及び壁パネル２の高さ位置が適正レベルに調整される。依って、上記壁パネル２の重さを溶接ではなく金物で受けることにより溶接を不要にでき、通しアングル７に対する自重受け金具８の高さ調整を容易迅速に行うことができる。
【００４４】
尚、図１５乃至図１８に示すように、前記鉛直部９のボルト挿通用の孔９Ｄを円形に形成し、且つ、通しアングル７側のボルト挿通用の孔７Ｂを、上下方向に長い長円等の形状に形成しても、前記実施例と同様の作用効果が奏される。
【００４５】
本発明は、本発明の精神を逸脱しない限り種々の改変を為すことができ、そして、本発明が該改変されたものに及ぶことは当然である。
【図面の簡単な説明】
【００４６】
【図１】本発明の一実施例を示し、壁パネル設置構造の一部断面側面図。
【図２】一実施例に係る自重受け金具を基準高さに取り付けるときの状態を示す正面図。
【図３】一実施例に係る自重受け金具を基準高さにて通しアングル取り付けるときの状態を示す側面図。
【図４】一実施例に係る自重受け金具を基準高さよりも高い位置に取り付けるときの状態を示す正面図。
【図５】一実施例に係る壁パネル設置構造の自重受け金具を基準高さよりも高い位置にて通しアングル取り付けるときの状態を示す側面図。
【図６】一実施例に係る壁パネル設置構造の自重受け金具を基準高さよりも低い位置に取り付けるときの状態を示す正面図。
【図７】一実施例に係る壁パネル設置構造の自重受け金具を基準高さよりも低い位置にて通しアングル取り付けるときの状態を示す側面図。
【図８】本発明の他の実施例に係る壁パネル設置構造を示す側面図。
【図９】他の実施例に係る壁パネル設置構造の自重受け金具の取り付け部分を示す正面図。
【図１０】他の実施例に係る壁パネル設置構造の通しアングル取り付け自重受け金具の取り付け部分を示す斜視図。
【図１１】本発明の更に他の実施例に係る壁パネル設置構造の通しアングルを示す斜視図。
【図１２】更に他の実施例に係る壁パネル設置構造の自重受け金具を示す正面図。
【図１３】図１２の側面図。
【図１４】本発明の更に他の実施例に係る壁パネル設置構造を示す側面図。
【図１５】本発明の更に他の実施例に係る壁パネル設置構造の通しアングルの他の形態例を示す斜視図。
【図１６】更に他の実施例に係る壁パネル設置構造の自重受け金具の他の形態例を示す正面図。
【図１７】図１６の側面図。
【図１８】本発明の更に他の実施例に係る壁パネル設置構造の他の形態例を示す側面図。
【符号の説明】
【００４７】
２        壁パネル
４        建造物躯体
７        通しアングル
８        自重受け金具
１８      ボルト（偏心軸）
２０      高さ調整多角形状プレート
【図１】
0005216405.tif 000002
【図２】
0005216405.tif 000003
【図３】
0005216405.tif 000004
【図４】
0005216405.tif 000005
【図５】
0005216405.tif 000006
【図６】
0005216405.tif 000007
【図７】
0005216405.tif 000008
【図８】
0005216405.tif 000009
【図９】
0005216405.tif 000010
【図１０】
0005216405.tif 000011
【図１１】
0005216405.tif 000012
【図１２】
0005216405.tif 000013
【図１３】
0005216405.tif 000014
【図１４】
0005216405.tif 000015
【図１５】
0005216405.tif 000016
【図１６】
0005216405.tif 000017
【図１７】
0005216405.tif 000018
【図１８】
0005216405.tif 000019